(57)【要約】【課題】  家族の領域とパブリックな領域とを分離し易く、家族との一体感を高めることができ、且つ、屋内ワークスペースを接客に用いるような場合にもリビングスペースやダイニングスペースのプライバシーを守ることができる住宅を提供する。【解決手段】住宅１は、下階に、玄関１９と、自動車を駐車する車庫４と、当該車庫４に隣接して設けられ、前記車庫４から直接出入り可能な出入り口２１を設けた屋内ワークスペース２０と、を備えるとともに、上階に、リビングスペース５及びダイニングスペース３１を備えた住宅１であって、前記屋内ワークスペース２０の上方が吹き抜けて、前記上階に吹き抜け空間２４を形成しており、リビングスペース５及びダイニングスペース３１と吹き抜け空間２４との境界の少なくとも一部が開放される。【選択図】図４
2014084585.tif 000002
【特許請求の範囲】
【請求項１】
複数階層を有し、
下階に、玄関と、自動車を駐車する車庫と、当該車庫に隣接して設けられ、前記車庫から直接出入り可能な出入り口を設けた屋内ワークスペースと、を備えるとともに、上階に、リビングスペース及びダイニングスペースを備えた住宅であって、
前記屋内ワークスペースの上方が吹き抜けて、前記上階に吹き抜け空間を形成しており、当該上階を平面視したときに、前記リビングスペース及び前記ダイニングスペースが前記吹き抜け空間に隣接するとともに、前記リビングスペース及び前記ダイニングスペースと前記吹き抜け空間との境界の少なくとも一部が開放されることを特徴とする住宅。
【請求項２】
前記屋内ワークスペースは、土間であって、前記出入り口と対向する面に開口部を設けることを特徴とする請求項１に記載の住宅。
【請求項３】
３階以上の階層を有し、
前記上階よりも上の階に、プライベートスペースを備えた住宅であって、
前記吹き抜け空間は少なくとも前記プライベートスペースが設けられた階まで連通することを特徴とする請求項１又は請求項２に記載の住宅。
【請求項４】
前記車庫に隣接して、屋外ワークスペースを備えることを特徴とする請求項１から請求項３に記載の住宅。
【請求項５】
前記屋外ワークスペースの鉛直方向上側の前記上階には階段ホールが設けられるものであって、
前記下階から前記上階に向かう階段の下側に設けられる階段下収納の入り口が前記屋外ワークスペース側に向けて設けられることを特徴とする請求項４に記載の住宅。
【発明の詳細な説明】
【技術分野】
【０００１】
本発明は、複数階層を有する住宅に関する。
【背景技術】
【０００２】
従来より、住宅において、車庫に隣接して、屋内にユーティリティールームを設け、様々な用途に利用するものが種々提案されている（例えば特許文献１、特許文献２参照）。これらのユーティリティールームの用途としては、洗濯物干しスペースや収納スペースとして利用されるほか、接客に利用する例が挙げられている。
【０００３】
また、近年住宅内にＳＯＨＯ（Small Office/Home Office）と呼ばれる家庭内仕事室を有する住宅が知られている（特許文献３参照）。そして、特許文献３の例では、当該家庭内仕事室をリビングスペース・ダイニングスペースに隣接させて、リビングスペース・ダイニングスペースと腰壁によって仕切ることで、他の住人と適度なコミュニケーションをはかることが記載されている。
【先行技術文献】
【特許文献】
【０００４】
【特許文献１】特開２０００−９６８４３号公報
【特許文献２】特開２００２−２１３４４号公報
【特許文献３】特開２００３−１６１０４６号公報
【発明の概要】
【発明が解決しようとする課題】
【０００５】
しかし、特許文献１及び特許文献２のような従来技術におけるユーティリティールームは、リビングスペースやダイニングスペースと完全に分離した空間であるので、このユーティリティールームで接客等をしているときには、リビングスペースやダイニングスペースの様子を全く知ることができない。
【０００６】
また、特許文献３のような家庭内仕事室は、この家庭内仕事室内からリビングスペース及びダイニングスペースが見通せるものであるので、仮に接客に利用するとした場合は、リビングスペース及びダイニングスペースのプライバシーを守ることができない。
【０００７】
そこで、本発明は、家族の領域とパブリックな領域とを分離し易い屋内ワークスペースを設けた住宅であって、屋内ワークスペースに居る家族とリビングスペースやダイニングスペースに居る家族との一体感を高めることができ、且つ、屋内ワークスペースを接客に用いるような場合にもリビングスペースやダイニングスペースのプライバシーを守ることができる住宅を提供することを目的とする。
【課題を解決するための手段】
【０００８】
請求項１に記載の住宅は、複数階層を有し、下階に、玄関と、自動車を駐車する車庫と、当該車庫に隣接して設けられ、前記車庫から直接出入り可能な出入り口を設けた屋内ワークスペースと、を備えるとともに、上階に、リビングスペース及びダイニングスペースを備えた住宅であって、前記屋内ワークスペースの上方が吹き抜けて、前記上階に吹き抜け空間を形成しており、当該上階を平面視したときに、前記リビングスペース及び前記ダイニングスペースが前記吹き抜け空間に隣接するとともに、前記リビングスペース及び前記ダイニングスペースと前記吹き抜け空間との境界の少なくとも一部が開放されることを特徴としている。
【０００９】
請求項２に記載の住宅は、前記屋内ワークスペースは、土間であって、前記出入り口と対向する面に開口部を設けることを特徴としている。
【００１０】
請求項３に記載の住宅は、３階以上の階層を有し、前記上階よりも上の階に、プライベートスペースを備えた住宅であって、前記吹き抜け空間は少なくとも前記プライベートスペースが設けられた階まで連通することを特徴としている。
【００１１】
請求項４に記載の住宅は、前記車庫に隣接して、屋外ワークスペースを備えることを特徴としている。
【００１２】
請求項５に記載の住宅は、前記屋外ワークスペースの鉛直方向上側の前記上階には階段ホールが設けられるものであって、前記下階から前記上階に向かう階段の下側に設けられる階段下収納の入り口が前記屋外ワークスペース側に向けて設けられることを特徴としている。
【発明の効果】
【００１３】
請求項１に記載の住宅によると、車庫に隣接して屋内ワークスペースが設けられており、この屋内ワークスペースが車庫から出入り可能な出入り口を有するので、車庫から玄関を通さずに屋内ワークスペースに入室することができる。したがって、この屋内ワークスペースを簡易的な接客のスペースとして用いる場合に、来客を玄関を通さずに直接屋内ワークスペースに迎え入れることができ、家族の領域とパブリックな領域とを分離し易い。また、このような屋内ワークスペースが車庫に隣接していることにより、車庫に自動車を駐車したときに、当該自動車に乗っていた荷物などを玄関を通すよりも楽に車庫の出入り口から屋内に運び入れることができる。
【００１４】
また、屋内ワークスペースの上方が吹き抜けて上階に形成される吹き抜け空間が、リビングスペース及びダイニングスペースに隣接して、リビングスペース及びダイニングスペースと吹き抜け空間との境界の少なくとも一部が開放されるので、屋内ワークスペースとリビングスペース及びダイニングスペースとは、吹き抜け空間を介して連通している。したがって、屋内ワークスペースで仕事をしているような場合や接客をしている場合でも、上階のリビングスペース及びダイニングスペースの音を聞くことで、リビングスペース及びダイニングスペースの様子を知ることができ、また、リビングスペース及びダイニングスペースからも屋内ワークスペースの様子を知ることができるので、屋内ワークスペースで仕事や接客をしている家族と、リビングスペースやダイニングスペースで家事をしている家族や寛いでいる家族との一体感を高めることができる。
【００１５】
しかも、リビングスペース及びダイニングスペースと屋内ワークスペースとを上階で吹き抜けを介して連通しているので、屋内ワークスペースからリビングスペースやダイニングスペースを視認することはできず、屋内ワークスペースを接客スペースとして利用する場合にも、リビングスペースやダイニングスペースのプライバシーを守ることができる。
【００１６】
請求項２に記載の住宅によると、屋内ワークスペースが土間であるので、来客等が靴を脱ぐ必要がない接客スペースやＳＯＨＯとして利用でき、靴を脱いで上がる家族の領域との区別を明確にすることができる。また、屋内ワークスペースが土間であることによって、屋外で使用する用具の整備や保管スペースとしても利用することができる。更に、屋内ワークスペースを土間にすることによって、車庫の床面との段差を小さくする、又は段差を無くすことができるので、車庫に駐車した自動車の荷物が重量物であるような場合も、少ない労力でその荷物を屋内に運び入れることができ、また、段差を無くしバリアフリーとすることで、来客が段差を昇ることが困難な者である場合にも屋内ワークスペースで接客することができる。
【００１７】
また、屋内ワークスペースは、出入り口と対向する面に開口部を設けるので、風を通り抜けさせることができ、心地よい空間にすることができる。
【００１８】
請求項３に記載の住宅によると、上階よりも上の階にプライベートスペースを備えており、屋内ワークスペースの上方の吹き抜け空間がこのプライベートスペースが設けられた階に連通しているので、下階の屋内ワークスペース、上階のリビングスペース及びダイニングスペース、及び上階よりも上の階のプライベートスペースが連通しているので、各階の様子を別の階で知ることができ、家族の一体感を強めることができる。
【００１９】
なお、ここで「プライベートスペース」は、家族の個人又は夫婦が専用する部屋であり、子供部屋、寝室、書斎などが例示されるものである。また、「吹き抜け空間は少なくとも三階に連通する」とは、吹き抜け空間が上階の上の階に設けられたプライベートスペースに直接連通するものと、吹き抜け空間が上階の上の階の廊下やホールを介してプライベート空間に連通するものとを含む。
【００２０】
請求項４に記載の住宅によると、車庫に隣接して屋外ワークスペースを更に備えているので、車庫に駐車している車の整備作業や休憩に利用することができる。また、屋内ワークスペースに迎え入れる必要のない来客を接客するスペースとしても利用することができる。
【００２１】
請求項５に記載の住宅によると、屋外ワークスペースの上側の上階には階段ホールが設けられており、雨や日射を防ぐことができるとともに、下階から上階に向かう階段下収納の入り口が屋外ワークスペース側に向けて設けられているので、屋外ワークスペースに隣接する収納スペースとして階段下収納を利用することができる。
【図面の簡単な説明】
【００２２】
【図１】住宅の１階の間取り図。
【図２】住宅の２階の間取り図。
【図３】住宅の３階の間取り図。
【図４】住宅の東西方向の鉛直断面をとった図２のＩ−Ｉ断面斜視図。
【図５】住宅の南北方向の鉛直断面をとった図２のＩＩ−ＩＩ断面斜視図。
【発明を実施するための形態】
【００２３】
以下、各図を参照しつつ、本発明の住宅１の最良の実施形態について説明する。まず、図１から図３を参照しつつ、住宅１の各階の間取りを説明する。図１に示すように、住宅１は南側が接道し、南側の間口よりも奥行きが長く形成された矩形の敷地に建設される三階建ての住宅１である。なお、本発明における「下階」が本実施形態の１階であり、本発明における「上階」が本実施形態の２階であり、本発明における「上階よりも上の階」が本実施形態の３階である。
【００２４】
敷地の南西側には門扉２及びアプローチ３が設けられ、南東側には車庫４が設けられている。車庫４は奥行き側に長く、普通車を２台縦に並べて駐車できるスペースである。車庫４は奥側が所謂ビルトインガレージとなっており、普通車を２台縦に並べて駐車した場合に、奥側の１台の上方には、図２に示す２階のリビングスペース５が設けられ、手前側すなわち接道側の１台の上方は奥側にはバルコニー６が突出し、さらに接道側は露天となっている。車庫４の東側には住宅１の２階外壁から面一の壁が一部を開放しつつ設けられている。
【００２５】
車庫４の西隣であって、アプローチ３の北側には屋外ワークスペース７が設けられている。屋外ワークスペース７は、ポーチ部７ａとアルコーブ部７ｂに分かれており、アルコーブ部７ｂの西側には住宅１の外壁が南に向かって突き出た突出部８を形成している。ポーチ部７ａの上方には２階の階段ホール９やトイレ１０などが形成されており、雨や日射を遮っている。ポーチ部７ａは例えばテーブル１１や椅子１２を設置して休憩スペースとして利用できる。アルコーブ部７ｂは、所謂玄関アルコーブとしても用いられており、住宅１の南側の外壁に設けられた玄関ドア１６を開く際のスペースとして利用される。また、アルコーブ部７ｂの西側の突出部８の内部には、１階から２階に向かう際に南を向く直線階段１３が屋内に設けられており、当該直線階段１３の下に入り口１５がアルコーブ部７ｂ側を向いている階段下収納１４が設けられている。
【００２６】
屋外ワークスペース７は、自転車などの屋外で利用するものの整備をする、又は日曜大工をするなどの用途で利用することができ、アルコーブ部７ｂの玄関ドア１６がぶつからない領域から、ポーチ部７ａまでを作業スペースとして利用することができる。また、屋外ワークスペース７と車庫４とは互いに行き来可能につながっており、屋外ワークスペース７で例えば自動車の整備部品の整理するのに適している。なお、階段下収納１４の入り口１５がアルコーブ部７ｂ側を向いているので、この階段下収納１４に屋外ワークスペース７での作業に使用する道具を収納することができる。また階段下収納１４には、屋外で利用する用具等の屋内に運び入れたくない用具を収納することもできる。
【００２７】
本実施形態においては、屋外ワークスペース７が玄関ポーチ又は玄関アルコーブとしても利用されるものであるが、玄関ポーチ又は玄関アルコーブとは独立した構成として屋外ワークスペース７を設けるものであってもよい。
【００２８】
屋外ワークスペース７のアルコーブ部７ｂから玄関ドア１６を通過すると、玄関土間１７と、玄関ホール１８と、からなる玄関１９が設けられている。そして、玄関１９の東隣であって、車庫４の北側には床面が土間になっている屋内ワークスペース２０が形成されている。屋内ワークスペース２０は玄関土間１７及び玄関ホール１８と隣接して設けられており、玄関土間１７よりも１段下がった床高さに形成されている。車庫４と屋内ワークスペース２０との間には人が出入り可能な掃き出し窓の出入り口２１が設けられている。これにより、車庫４から屋内ワークスペース２０に、玄関１９を通ることなく入室することができる。なお、屋内ワークスペース２０の床の高さは車庫４の床の高さと略同じであって、出入り口２１の枠のうち下側の部分もこれら屋内ワークスペース２０及び車庫４の床高さと同じであれば、車庫４から屋内ワークスペース２０までの間に段差が無くなり、車椅子で屋内に入り易く、また荷物を載せた台車等を屋内に運び込み易い。
【００２９】
玄関ホール１８と屋内ワークスペース２０との境界のうち南側は、玄関ホール１８の床面よりも座面が高い長椅子部２２が設けられており、接客時に来客を座らせたり、靴を履き脱ぎする際に座ったりすることができる。そして、玄関ホール１８と屋内ワークスペース２０との境界のうち北側は、上がり框が形成されており、屋内ワークスペース２０から直接玄関ホール１８に上がることができるように形成されている。
【００３０】
屋内ワークスペース２０は南北方向に長く形成されており、屋内ワークスペース２０の南側に設けられた出入り口２１と対向する面、すなわち北側の面にも掃き出し窓２３が形成されている。本発明における「開口部」が本実施形態においては、掃き出し窓２３である。南側の出入り口２１と北側の掃き出し窓２３とを開放することで、南北に大きな開口を設けることができるので、屋内ワークスペース２０を風が通り抜ける心地よい空間にすることができる。屋内ワークスペース２０の上方は平面視した場合に屋内ワークスペース２０の全面が吹き抜けて２階側の吹き抜け空間２４に連通している。また、屋内ワークスペース２０が土間になっていることで、屋内ワークスペース２０を接客スペースとして利用する際に、来客が靴を脱ぐ必要がなく、靴を脱がなければ上がることができない家族の領域との区別を明確にすることができる。
【００３１】
玄関土間１７及び屋内ワークスペース２０に隣接し、平面視矩形の空間の内側に矩形の間仕切りを設けて、いわば２重の矩形空間を構成し、内側の矩形空間の東側の間仕切りから外側の矩形空間の北側を仕切る引き戸２５ａを設けるとともに、内側の矩形空間の西側の間仕切りから外側の矩形空間の南側を仕切る引き戸２５ｂを設けることにより、２つに分離した外側の矩形空間のうち南東側の空間が、玄関ホール１８である。そして、２つの引き戸２５ａ，２５ｂにより分離される玄関１９と反対側の領域は家族の領域となっている。ここで家族の領域とは、仕事上の来客などを受け入れるパブリックな領域に対して、主に家族のみが使用する空間で、例外的に例えば親類やごく親しい友人のみを迎え入れる領域である。
【００３２】
前述した２重の矩形空間の内側の矩形空間はトイレ２６であり、２つの引き戸２５ａ，２５ｂにより玄関ホール１８と分離した北西側の空間は廊下２７である。トイレ２６のドアは、北側を向いて設けられており、トイレ２６のドアや２つの引き戸２５ａ，２５ｂが開いていたとしても玄関１９や屋内ワークスペース２０からはトイレ２６内部を視認することができないように構成されている。廊下２７の北側には、洗面所２８及び風呂２９が設けられている。
【００３３】
廊下２７の南側の端部には、１階から２階に向かう際に南を向くように直線階段１３が設けられている。直線階段１３を上がって２階には、２階の階段ホール９が設けられている。そして、この２階の階段ホール９の南側には洗面台付きのトイレ１０が設けられている。階段ホール９から間仕切壁を隔てて東側にはリビングスペース５が設けられている。リビングスペース５の北側の１階の屋内ワークスペース２０の上方には吹き抜け空間２４が形成されている。リビングスペース５と吹き抜け空間２４との間には間仕切壁が設けられているが、間仕切壁に開き窓３０が形成されており、この開き窓３０を開くことによって、リビングスペース５と吹き抜け空間２４とを連通させることができる。
【００３４】
直線階段１３と吹き抜け空間２４の間であって、リビングスペース５の北側にはダイニングスペース３１が設けられている。ダイニングスペース３１と吹き抜け空間２４との境界には腰高さの棚３２が設けられており、この腰高さの棚３２の上方が開放されて、ダイニングスペース３１と吹き抜け空間２４とが連通している。吹き抜け空間２４は南側の部分が更に３階にまで吹き抜けて形成されている。ダイニングスペース３１の北側であって、住宅１の北西角にはキッチン３３が設けられている。
【００３５】
平面視したときに、１階から２階に向かう直線階段１３に重なるように、２階から３階に向かう直線階段３４が設けられている。２階から３階に向かう直線階段３４と２階のダイニングスペース３１の一部の上方は吹き抜け３６が形成されている。２階から３階に向かう直線階段３４を上がったところには廊下３５が東向きに延びている。この３階の廊下３５は吹き抜け３６に沿うように中間部で折れ曲がり北向きに延びている。廊下３５と吹き抜け３６との境界は転落を防止する腰壁３７が設けられている。
【００３６】
廊下３５の北側の端部には、廊下３５につながる、当該廊下３５よりも幅の広い３階のホール３９を形成している。３階のホール３９は西側に階段側の吹き抜け３６が設けられており、東側に１階の屋内ワークスペース２０から３階にまで連通する吹き抜け空間２４がそれぞれ腰壁３７，３８を隔てて形成されている。したがって、この３階ホール３９は、図４及び図５に示すように、両側の吹き抜け２４，３６を介して、１階の屋内ワークスペース２０、２階のダイニングスペース３１、リビングスペース５と連通しており、各階の家族の様子を知ることができるので、家族の一体感を増すことができる。
【００３７】
３階のホール３９の北側には子供部屋４０につながるドアが設けられている。子供部屋４０は家具４１によって中央で仕切られ、２室に分けられている。また、廊下３５の東側の突き当たりには主寝室４２が設けられている。ここで本発明における「プライベートスペース」は、子供部屋４０及び主寝室４２である。子供部屋４０は、東西が吹き抜け２４，３６に連通する３階のホール３９にドアを挟んでつながっており、また、主寝室４２は、階段側の吹き抜け３６に隣接する廊下３５にドアを挟んでつながっているので、各部屋のドアを開ければ１階まで直接連通する空間とすることができ、屋内ワークスペース２０、リビングスペース５、ダイニングスペース３１と、各部屋とを連通させることができ、家族の一体感をさらに増すことができる。
【００３８】
以上のように構成される住宅１によると、１階の屋内ワークスペース２０で仕事や接客をしている家族と、２階のリビングスペース５やダイニングスペース３１で家事をしている家族や寛いでいる家族と、３階の子供部屋４０や主寝室４２などのプライベートスペースにいる家族とが、それぞれの様子を知ることができ家族の一体感を高めることができる。また、１階の屋内ワークスペース２０は、２階や３階を視認することはできないので、屋内ワークスペース２０を接客スペースとして利用する場合にも、リビングスペース５、ダイニングスペース３１、及びプライベートスペースのプライバシーを守ることができる。
【００３９】
なお、本発明の実施の形態は上述の形態に限ることなく、本発明の思想の範囲を逸脱しない範囲で適宜変更することができることは云うまでもない。
【産業上の利用可能性】
【００４０】
本発明に係る住宅１は、１階にＳＯＨＯ又は接客スペースなどの屋内ワークスペース２０を有する住宅１に好適に用いることができる。
【符号の説明】
【００４１】
１      住宅
４      車庫
５      リビングスペース
７      屋外ワークスペース
９      階段ホール
１３    直線階段（階段）
１４    階段下収納
１５    入り口
２０    屋内ワークスペース
２１    出入り口
２３    掃き出し窓（窓）
２４    吹き抜け空間
３１    ダイニングスペース
４０    子供部屋（プライベートスペース）
４２    主寝室（プライベートスペース）
【図１】
2014084585.tif 000003
【図２】
2014084585.tif 000004
【図３】
2014084585.tif 000005
【図４】
2014084585.tif 000006
【図５】
2014084585.tif 000007